(57)【特許請求の範囲】
【請求項１】
防水床が取り付く壁パネル本体の表面に予め外装材が取り付けられた外装材付き壁パネルであって、
前記壁パネル本体の表面には、防水シートが、前記外装材の下端より上方から前記防水床の上面まで延出可能となるように取り付けられていること
を特徴とする外装材付き壁パネル。
【請求項２】
請求項１記載の外装材付き壁パネルにおいて、
前記壁パネル本体には、開口部が形成されており、
この開口部の下端部には止水プレートが取り付けられており、
この止水プレートに前記防水シートが接合されていること
を特徴とする外装材付き壁パネル。
【請求項３】
請求項１又は２記載の外装材付き壁パネルと、防水床との接合構造であって、
前記防水床と、前記外装材付き壁パネルの壁パネル本体とが固定され、前記防水シートが前記防水床の上面に延出されて、この防水床の上面に敷設される防水シートに接合されていること
を特徴とする外装材付き壁パネルと防水床との接合構造。
【請求項４】
請求項３記載の外装材付き壁パネルと防水床との接合構造において、
前記防水床は、防水床本体と、この防水床本体の上に設けられて、上面に水勾配が付けられた勾配床部とを備え、この勾配床部の上面に前記防水シートが敷設されていること
を特徴とする外装材付き壁パネルと防水床との接合構造。
【請求項５】
請求項１または２記載の外装材付き壁パネルと、防水床とを接合する、外装材付き壁パネルと防水床との接合方法であって、
前記防水床と、前記外装材付き壁パネルの壁パネル本体とを固定し、前記防水シートを防水床の上面に延出して、この防水床の上面に敷設された防水シートに接合すること
を特徴とする外装材付き壁パネルと防水床との接合方法。
【発明の詳細な説明】
【０００１】
【発明の属する技術分野】
本発明は、住宅等の壁面を構成する壁パネルと、壁パネルにバルコニーなどの防水床を取り付ける壁パネルと防水床の接合構造、および同接合方法に関するものである。
【０００２】
【背景の技術】
周知のように、住宅の構築についてはその工業化が進み、例えば、壁や床、屋根といった構成要素を予め工場にてパネル化しておき、施工現場でこれらのパネルを組み合わせることによって、住宅を構築するといったパネル工法が一部に採用されている。近年、さらに工業化が進み、例えば、特開Ｈ１０−１０２７２６号公報に記載の技術で知られるように、予め外壁パネルにサイディング（外装材）が貼設された状態で、建築現場に搬入する方法が進められ、現場での建築工数の削減、工期の短縮が図られている。
【０００３】
【発明が解決しようとする課題】
ここで、外壁の屋外側に、例えば、ルーフバルコニーなどの防水床を設ける場合には、外壁パネルと防水床の床パネルとを接合し、この外壁パネルと床パネルとの間を防水シート等で覆って防水処理を行った後に、外壁パネルにサイディングなどの外装材を取り付けることになる。そして、これら外壁パネルと床パネルとの接合は住宅の構築現場で行われ、その後工程の上記防水処理も同様に、住宅の構築現場で行われる。このため、ルーフバルコニーなどの防水床が取り付く外壁パネルについては、工場で予め、外装材を外壁パネルの防水床取り付け高さ近傍まで、延在させておくことが出来なかった。また、住宅の構築現場で、防水床から外壁パネルへの立ち上がり部の防水処理に手間を要していた。
【０００４】
本発明の課題は、ルーフバルコニーなどの防水床が取り付く外壁パネルについて、外壁パネルの表面の防水床の取り付け高さ近傍に、外装材を予め工場で取り付けておくことができるとともに、現場における防水床と外壁パネルとの接合部の防水処理を容易にすることができる外装材付き壁パネルと、この外装材付き壁パネルと防水床を接合する外装材付き壁パネルと防水床との接合構造および接合方法を提供することである。
【０００５】
【課題を解決するための手段】
上記目的を達成するために、請求項１記載の発明は、例えば、図２に示すように、防水床（バルコニー床）１０が取り付く壁パネル本体２の表面に予め外装材（サイディング）３が取り付けられた外装材付き壁パネル１であって、前記壁パネル本体２の表面には、防水シート４が、図３に示すように、前記外装材３の下端より上方から前記防水床１０の上面まで延出可能となるように取り付けられていることを特徴とする。
ここで、上記防水シート４としては、例えば塩化ビニルシートやアスファルトルーフィングなどが用いられる。
【０００６】
請求項１記載の発明によれば、壁パネル本体２の表面には、防水シート４が、外装材３の下端より上方から防水床１０の上面まで延出可能となるように取り付けられているので、この防水シート４を防水床１０の上面に延出させて、壁パネル本体２と防水床１０の上面を一体的に覆うことができるので、防水処理を容易に行うことができる。
そして、住宅等の構築現場で壁パネル本体２と防水床１０とを接合する前に、予め壁パネル本体２に防水シート４が取り付けられているので、工場でこの防水シート４と同時に、壁パネル本体２に取り付けられる外装材３を、上記防水シート４の上端より下方の高さに位置する防水床１０取り付け高さ近傍まで延在させておくことができる。よって、住宅等の構築現場で、壁パネル本体２の表面に外装材３を防水床１０の取り付け高さ近傍に取り付けるという作業を省略することができ、工数が削減され、工期を短縮することができる。
【０００７】
請求項２記載の発明は、例えば図２に示すように、請求項１記載の外装材付き壁パネル１において、前記壁パネル本体２には、開口部６が形成されており、この開口部６の下端部には止水プレート７が取り付けられており、この止水プレート７に前記防水シート４が接合されていることを特徴とする。
ここで、前記止水プレート７に前記防水シート４を接合する際に、止水プレート７と防水シート４を重ね合わせて貼着させてもよいし、止水プレート７と防水シート４を溶着させてもよい。
【０００８】
請求項２記載の発明によれば、請求項１と同様の効果が得られるのは勿論のこと、前記開口部６の下端部に取り付けられた止水プレート７に防水シート４が接合されているので、住宅等の構築現場で、止水プレート７と防水シート４を接合する作業をする必要がない。したがって、現場での工数の削減、工期の短縮につながる。
【０００９】
請求項３記載の発明は、請求項１又は２記載の外装材付き壁パネル１と、防水床１０との接合構造であって、図３に示すように、前記防水床１０と、前記外装材付き壁パネル１の壁パネル本体２とが固定され、前記防水シート４が前記防水床１０の上面に延出されて、この防水床１０の上面に敷設される防水シート１５に接合されていることを特徴とする。
ここで、壁パネル本体２に取り付けられた防水シート４は、防水床１０の上面に敷設される防水シート１５に対して、重ね合わせて貼着することで接合してもよいし、防水シート４と防水シート１５の端面同士を溶着することで接合してもよい。
【００１０】
請求項３記載の発明によれば、前記防水床１０と、前記外装材付き壁パネル１の壁パネル本体２とが固定され、前記防水シート４を前記防水床１０の上面に延出させて、この防水床の上面に敷設される防水シート１５と接合されている。従って、互いに接合された防水シート４と防水シート１５とによって、壁パネル本体２と防水床１０の上面を一体的に覆うことができるので、壁パネル本体２と防水床１０との接合部の防水処理を容易に行うことができる。
【００１１】
また、住宅等の構築現場で壁パネル本体２と防水床１０とを接合する前に、予め壁パネル本体２に防水シート４が取り付けられているので、工場でこの防水シート４と同時に、壁パネル本体２に取り付けられる外装材３を、上記防水シート４の上端より下方の高さに位置する防水床１０取り付け高さ近傍まで延在させておくことができる。よって、住宅等の構築現場で、壁パネル本体２の表面に外装材３を防水床１０の取り付け高さ近傍に取り付けるという作業を省略することができ、工数が削減され、工期を短縮することができる。
【００１２】
請求項４記載の発明は、請求項３記載の外装材付き壁パネル１と防水床１０との接合構造において、前記防水床１０は、防水床本体１１と、この防水床本体１１の上面に設けられて、上面に水勾配が付けられた勾配床部１２とを備え、この勾配床部１２の上面に前記防水シート４、１５が敷設されていることを特徴とする。
【００１３】
請求項４記載の発明によれば、請求項３と同様の効果が得られるのは勿論のこと、前記防水床１０は、勾配床部１２を備え、この勾配床部１２の上面に前記防水シート４、１５が敷設されているので、雨水が勾配床部１２の上面を水勾配方向に流れる。この水勾配の水下に排水口２５等の開口部を設けることで雨水等が防水床１０に留まることなく、速やかに排出される。従って、壁パネル本体２と防水床１０との接合部の防水性能を高めることができる。
【００１４】
請求項５記載の発明は、請求項１または２記載の外装材付き壁パネル１と、防水床１０とを接合する、外装材付き壁パネル１と防水床１０との接合方法であって、前記防水床１０と、前記外装材付き壁パネル１の壁パネル本体２とを固定し、前記防水シート４を防水床１０の上面に延出して、この防水床１０の上面に敷設された防水シート１５に接合することを特徴とする。
【００１５】
請求項５記載の発明によれば、前記防水床１０と、前記外装材付き壁パネル１の壁パネル本体２とが固定され、前記防水シート４を前記防水床１０の上面に延出させて、この防水床の上面に敷設される防水シート１５と接合させる。従って、互いに接合された防水シート４と防水シート１５とによって、壁パネル本体２と防水床１０の上面を一体的に覆うことができるので、壁パネル本体２と防水床１０との接合部の防水処理を容易に行うことができる。
【００１６】
また、住宅等の構築現場で壁パネル本体２と防水床１０とを接合する前に、予め壁パネル本体２に防水シート４が取り付けられているので、工場でこの防水シート４と同時に、壁パネル本体２に取り付けられる外装材３を、上記防水シート４の上端より下方の高さに位置する防水床１０取り付け高さ近傍まで延在させておくことができる。よって、住宅等の構築現場で、壁パネル本体２の表面に外装材３を防水床１０の取り付け高さ近傍に取り付けるという作業を省略することができ、工数が削減され、工期を短縮することができる。
【００１７】
【発明の実施の形態】
以下、図面を参照して本発明にかかる外装材付き壁パネル１、この外装材付き壁パネル１と防水床（バルコニー床）１０との接合構造、および同接合方法の実施の形態について詳細に説明する。
本実施の形態において、外装材付き壁パネル１、およびバルコニー床（防水床）１０は、パネル工法により構築される住宅に設けられるものである。パネル工法とは、壁や床、屋根などの構成要素を予め工場でパネルとして製作しておき、住宅の施工現場でパネルを組み合わせて、パネル同士を接着材とボルトまたは釘によって接合する住宅の施工方法で、建築現場での施工作業を省力化することのできる利点がある。この住宅では、１モジュール（＝９１０ｍｍ）を基準寸法として、その各構成要素が設計されている。
また、前記外装材付き壁パネル１に取り付くバルコニー床１０は、下層の階の屋上に設けられるル−フバルコニーの床面を構成するものである。
【００１８】
図１〜３に示すように、本実施の形態における外装材付き壁パネル１は、バルコニー床１０が取り付く壁パネル本体２と、この壁パネル本体２の表面に予め取り付けられたサイディング（外装材）３と、このサイディング３の下端より上方から前記バルコニー床１０の上面まで延出可能となるように取り付けられた防水シート４とを備えている。
【００１９】
前記壁パネル本体２は、住宅の壁面を構成するものであり、図１に示すように、幅１モジュールの木製パネル２ａ、２ｂと１／２モジュール（＝４５５ｍｍ）の木製パネル２ｃとからなっている。この各々の木製パネル２ａ、２ｂ、２ｃは、縦横の框材を矩形状に組み立てるとともに、矩形枠の内部に補助桟材を縦横に組み付け、框材と補助桟材との両面に面材が貼り付けられたもので、接着剤とボルトまたは釘によって互いに固定された状態に工場で製作される。
【００２０】
図１および２に示すように、前記壁パネル本体２の中央部には、室内床部からバルコニー床１０へ出入りするための引き違いサッシ５を取り付けるための、開口部６が設けられている。この開口部６の下端部には、止水プレート７が取り付けられている。
前記止水プレート７は、図２および３に示すように、前記開口部６の下端面および側端面下端部を覆うとともに、開口部６に取り合うように、隣接する壁パネル本体２の表面を覆っている。
【００２１】
壁パネル本体２の表面には、防水透湿シート（図示略）が前記開口部６の下端まで設けられており、塩化ビニルからなる防水シート４が開口部６の下端より上方からバルコニー床１０の上面に延出されるように設けられている。
また、前記止水プレート７は前記防水シート４と溶着されており、止水プレート７は前記防水シート４の上面に位置している。
【００２２】
図１に示すように、防水シート４と、防水透湿シートと、止水プレート７とが貼着された壁パネル本体２の表面には、所定間隔で複数取り付けられた長尺な胴縁２０を介して、繊維補強セメント板からなるサイディング３が取り付けられている。
このサイディング３は、バルコニー手摺取付部２１と、バルコニー床取付部２２と、引き違いサッシ５を取り付ける開口部６とを除いて、壁パネル本体２に取り付けられている。また、サイディング３の下端は、バルコニー床１０の床レベルに合わせられており、前述したように、前記防水シート４がサイディング３の下端より延出可能に取り付けられている。
また、図３に示すように、壁パネル本体２とサイディング３の間には下端水切２３が設けられており、前記下端水切２３と壁パネル本体２を覆う防水シート４とは溶着されて接合されている。
【００２３】
次に、本外装材付き壁パネル１に取り付くバルコニー床１０の構成について説明する。
バルコニー床１０は、図２および図３に示すように、前記壁パネル本体２が取り付けられるバルコニー床本体１１と、バルコニー床本体１１の上に設けられて、上面に水勾配が設けられた勾配床部１２とを備えている。
バルコニー床本体１１は、バルコニーの床部を構成するものであって、住宅のバルコニーが設けられる階層の床部を構成する床パネルと連続または面一となるように接合される。
なお、バルコニー床本体１１は、縦横の框材を矩形状に組み立てるとともに、矩形枠の内部に補助桟材を縦横に組み付け、框材と補助桟材との片面に面材が貼り付けられたものである。
【００２４】
前記勾配床部１２の水勾配は、水上を壁パネル本体２と勾配床部１２との接合部側に、水下をバルコニー床１０の前端側にしたもので、前記外装材付き壁パネル１のバルコニー床取付部２２に取り付けられる。また、勾配床部１２の上面には塩化ビニルからなる防水シート１５が敷設されている。
バルコニー床本体１１の前端には、バルコニー床本体１１と勾配床部１２によって排水溝としての機能を果たす凹溝２４が形成されている。前記凹溝２４には、勾配床部１２の上面を水下方向に流れる雨水をバルコニー外部へ排出するための、排水口２５と排水管２６が設けられている。
【００２５】
本外装材付き壁パネル１とバルコニー床１０とを接合する際には、まず、バルコニーが設けられる階層の床部を構成する床パネルと連続または面一となるように接合されたバルコニー床本体１１の上面に前記外装材付き壁パネル１を立設し、前記バルコニー床本体１１と前記外装材付き壁パネル１とを固定する。
【００２６】
次に、勾配床部１２を、その水上側端面が、壁パネル本体２のバルコニー床取付部２２に当接するようにして、バルコニー床本体１１の上面に固定する。このとき、壁パネル本体２の表面を覆う防水シート４を勾配床部１２の上面に延出させて、勾配床部１２の上面に敷設された防水シート１５と重ね合わせる。重ね合わされた防水シート４と防水シート１５の端面同士を溶着することによって、接合させる。
また、勾配床部１２の上面に敷設された防水シート１５と前記凹溝２４が外側に露出しないように、透水性のテラスボードなどの仕上げ材１６をバルコニー床１０の上面に取り付ける。
【００２７】
なお、バルコニー床本体１１には、バルコニーの側面をなす左右の側面手摺りパネル３０およびバルコニーの前面をなす前面手摺りパネル３１が設けられ、ルーフバルコニーが施工される。バルコニー側面手摺りパネル３０が施工された後、艤装されていない壁パネル本体２の表面をサイディング３で覆い、住宅の外壁を完成させる。
【００２８】
本実施の形態によれば、前記防水床１０と、前記外装材付き壁パネル１の壁パネル本体２とが固定され、前記防水シート４を前記防水床１０の上面に延出させて、この防水床の上面に敷設される防水シート１５と接合させる。従って、互いに接合された防水シート４と防水シート１５とによって、壁パネル本体２と防水床１０の上面を一体的に覆うことができるので、壁パネル本体２と防水床１０との接合部の防水処理を容易に行うことができる。
【００２９】
また、住宅等の構築現場で壁パネル本体２と防水床１０とを接合する前に、予め壁パネル本体２に防水シート４が取り付けられているので、工場でこの防水シート４と同時に、壁パネル本体２に取り付けられる外装材３を、上記防水シート４の上端より下方の高さに位置する防水床１０取り付け高さ近傍まで延在させておくことができる。よって、住宅等の構築現場で、壁パネル本体２の表面に外装材３を防水床１０の取り付け高さ近傍に取り付けるという作業を省略することができ、工数が削減され、工期を短縮することができる。
【００３０】
また、前記開口部６の下端部に取り付けられた止水プレート７に防水シート４が接合されているので、住宅等の構築現場で、止水プレート７と防水シート４を接合する作業を行う必要がない。したがって、現場での工数の削減、工期の短縮につながる。
【００３１】
前記バルコニー床１０は、前記勾配床部１２を備えており、勾配床部１２の上面には防水シート４、１５が敷設されている。従って、雨水が勾配床部１２の水勾配方向に流れ、水下に設けられた排水口２５および排水管２６から雨水等がバルコニー床１０に留まることなく、速やかに排出される。
また、壁パネル本体２の表面に取り付けられた防水シート４と下端水切２３が溶着されて、壁パネル本体２と勾配床部１２との接合部を一体的に覆うので、壁パネル本体２とバルコニー床１０との接合部の防水性能を高めることができる。
バルコニー床１０の上面は、テラスボードなどの仕上げ材１６によって覆われるので、勾配床部１２の上面に敷設された防水シート１５や凹溝２４や排水口２５が表側に露出することがなく、バルコニーの外観が秀麗になる。
【００３２】
なお、本発明は上記実施の形態に限定されるものではなく、本発明の主旨を逸脱しない範囲において、適宜変更可能であることは勿論である。
例えば、ルーフバルコニーのバルコニー床１０を壁パネル本体２に取り付けるものとしたが、躯体の外側に取り付けられるバルコニーであってもよい。
また、開口部６には、引き違いサッシ５を取り付けるものとしたが、勝手口サッシ等であってもよいし、特に限定されるものではない。
また、本実施の形態では繊維補強セメント板からなるサイディング３を用いたが、それ以外にも軽量気泡コンクリートからなるサイディングやモルタル板や釉薬を塗布して焼成したセラミックボードなど種々な外装材の板材を壁パネル本体２に貼設することができる。
【００３３】
止水プレート７は、防錆処理が施された鋼板やアルミニウム等の金属、ＦＲＰ、ポリカーボネート、硬質塩化ビニル樹脂等の合成樹脂などを使用することができる。
壁パネル本体２の上面を覆う防水シート４と勾配床部１２の上面を覆う防水シート１５は、溶着により接合させているが、重ね合わせて、例えばブチル系両面粘着テープなどで張り合わせてもよい。止水プレート７や下端水切２３についても、同様に、壁パネル本体２を覆う防水シート４と重ね合わせて、ブチル系両面粘着テープなどで貼合わせてもよい。
【００３４】
【発明の効果】
請求項１記載の発明によれば、壁パネル本体の表面には、防水シートが、外装材の下端より上方から防水床の上面まで延出可能となるように取り付けられているので、この防水シートを防水床の上面に延出させて、壁パネル本体と防水床の上面を一体的に覆うことができるので、防水処理を容易に行うことができる。
そして、住宅等の構築現場で壁パネル本体と防水床とを接合する前に、予め壁パネル本体に防水シートが取り付けられているので、工場でこの防水シートと同時に、壁パネル本体に取り付けられる外装材を、上記防水シートの上端より下方の高さに位置する防水床取り付け高さ近傍まで延在させておくことができる。よって、住宅等の構築現場で、壁パネル本体の表面に外装材を防水床の取り付け高さ近傍に取り付けるという作業を省略することができ、工数が削減され、工期を短縮することができる。
【００３５】
請求項２記載の発明によれば、請求項１と同様の効果が得られるのは勿論のこと、前記開口部の下端部に取り付けられた止水プレートに防水シートが接合されているので、住宅等の構築現場で、止水プレートと防水シートを接合する作業を行う必要がない。したがって、現場での工数の削減、工期の短縮につながる。
【００３６】
請求項３記載の発明によれば、前記防水床と、前記外装材付き壁パネルの壁パネル本体とが固定され、前記防水シートを前記防水床の上面に延出させて、この防水床の上面に敷設される防水シートと接合されている。従って、互いに接合された防水シートと防水シートとによって、壁パネル本体と防水床の上面を一体的に覆うことができるので、壁パネル本体と防水床との接合部の防水処理を容易に行うことができる。
【００３７】
また、住宅等の構築現場で壁パネル本体と防水床とを接合する前に、予め壁パネル本体に防水シートが取り付けられているので、工場でこの防水シートと同時に、壁パネル本体に取り付けられる外装材を、上記防水シートの上端より下方の高さに位置する防水床取り付け高さ近傍まで延在させておくことができる。よって、住宅等の構築現場で、壁パネル本体の表面に外装材を防水床の取り付け高さ近傍に取り付けるという作業を省略することができ、工数が削減され、工期を短縮することができる。
【００３８】
請求項４記載の発明によれば、請求項３と同様の効果が得られるのは勿論のこと、前記防水床は、勾配床部を備え、この勾配床部の上面に前記防水シートが敷設されているので、雨水が勾配床部の上面を水勾配方向に流れる。この水勾配の水下に排水口等の開口部を設けることで雨水等が防水床に留まることなく、速やかに排出される。従って、壁パネル本体と防水床との接合部の防水性能を高めることができる。
【００３９】
請求項５記載の発明によれば、前記防水床と、前記外装材付き壁パネルの壁パネル本体とが固定され、前記防水シートを前記防水床の上面に延出させて、この防水床の上面に敷設される防水シートと接合させる。従って、互いに接合された防水シートと防水シートとによって、壁パネル本体と防水床の上面を一体的に覆うことができるので、壁パネル本体と防水床との接合部の防水処理を容易に行うことができる。
【００４０】
また、住宅等の構築現場で壁パネル本体と防水床とを接合する前に、予め壁パネル本体に防水シートが取り付けられているので、工場でこの防水シートと同時に、壁パネル本体に取り付けられる外装材を、上記防水シートの上端より下方の高さに位置する防水床取り付け高さ近傍まで延在させておくことができる。よって、住宅等の構築現場で、壁パネル本体の表面に外装材を防水床の取り付け高さ近傍に取り付けるという作業を省略することができ、工数が削減され、工期を短縮することができる。
【図面の簡単な説明】
【図１】本発明の一実施形態における外装材付き壁パネルの正面図である。
【図２】本発明の一実施形態における外装材付き壁パネルと、外装材付き壁パネルと防水床の接合構造および同接合方法を示す斜視図である。
【図３】本発明の一実施形態における外装材付き壁パネルと防水床との接合構造および接合方法を示す縦断面図である。
【符号の説明】
１  外装材付き壁パネル
２  壁パネル本体
３  外装材（サイディング）
４  （壁パネル本体の表面に取り付けられた）防水シート
６  開口部
７  止水プレート
１０  防水床（バルコニー床）
１１  防水床本体（バルコニー床本体）
１２  勾配床部
１５  （勾配床部の上面に敷設された）防水シート
【図１】
0004532024.tif 000002
【図２】
0004532024.tif 000003
【図３】
0004532024.tif 000004